(57)【特許請求の範囲】
【請求項１】
ケースアセンブリと、
前記ケースアセンブリの内部空間に取り付けられ、視覚情報を出力するように形成されるディスプレイと、
前記内部空間に配置され、タッチ入力信号を生成するように形成されるタッチパッドとを含み、
前記ケースアセンブリは、
前記ディスプレイに対応するディスプレイウィンドウ領域、及び前記タッチパッドに対応するキー領域を備える第１部材と、
前記第１部材とは異なる材質で形成され、前記第１部材の外周を囲むように形成される第２部材とを備え、
前記第１部材は、
透明な材質で形成される透明部材と、
インモールド射出により前記透明部材を覆うように配置されて前記第１部材の表面全体を形成し、前記ディスプレイウィンドウ領域及び前記キー領域を除く部分が不透明に形成されてそれぞれ前記ディスプレイウィンドウ領域及び前記キー領域を形成するフィルムとを含み、
前記第２部材は、
前記第１部材の縁部が収容され、前記フィルムの不透明な部分により覆われるように形成される収容部を備え、
前記キー領域は、文字、記号、及び数字の少なくとも１つにパターン化されて、前記フィルム自体が特定のキーの模様を形成することを特徴とする携帯端末機。
【請求項２】
前記第１部材にはサウンドを入出力するサウンド入出力通路が備えられることを特徴とする請求項１に記載の携帯端末機。
【請求項３】
前記透明部材は、前記キー領域に対応する部分の少なくとも１つが突設されることを特徴とする請求項１に記載の携帯端末機。
【請求項４】
前記キー領域は、照明されない状態の時は、該キー領域が外部に表示されないように半透明に形成されることを特徴とする請求項１に記載の携帯端末機。
【請求項５】
前記第１部材は、前記第１部材の縁部と前記収容部との間に配置される両面接着テープにより、前記第２部材に結合されることを特徴とする請求項１に記載の携帯端末機。
【請求項６】
前記第１部材の縁部には、複数の位置固定突起が突設され、
前記収容部には、前記位置固定突起をそれぞれ挿入できるように、位置固定孔が形成されることを特徴とする請求項１に記載の携帯端末機。
【請求項７】
前記第２部材は前記第１部材に二重射出方式で成形されることを特徴とする請求項１に記載の携帯端末機。
【発明の詳細な説明】
【技術分野】
【０００１】
本発明は携帯端末機のケースに関し、より詳しくは、外装ケースを一体型に形成してデザインを改善した携帯端末機に関する。
【背景技術】
【０００２】
図１５は従来の携帯端末機の斜視図である。
【０００３】
従来の携帯端末機は、各種情報を表示するディスプレイが装着されるディスプレイユニット１１０と、該ディスプレイユニット１１０が摺動可能に装着されてユーザが入力するメインキーパッド１２２が前面に装着される端末機本体１２０と、から構成される。
【０００４】
前記ディスプレイユニット１１０は外部に露出するように配置される外装ケース１１４と、該外装ケース１１４の内部に装着されるディスプレイと、前記外装ケース１１４の内部に装着されて情報が入力される補助キーパッドと、から構成される。
【０００５】
前記外装ケース１１４には前記ディスプレイに表示される情報が見えるようにするディスプレイウィンドウ１１２が設置され、情報を入力する各補助キーボタン１１６が外部に突出するように設置される。
【発明の開示】
【発明が解決しようとする課題】
【０００６】
しかし、前述したような従来の外装ケースはディスプレイウィンドウ１１２と各補助キーボタン１１６が外装ケース１１４に別途の部品として装着されるため、製造工程が複雑であり、外部に露出する構造が複雑で端末機の外観デザインがよくないという問題点があった。
【０００７】
本発明は前記の従来技術の問題点を解決するためになされたもので、ケースにディスプレイウィンドウ、情報入力部、又はその他の表示部が一体に形成されることにより、製造工程を短縮して端末機のデザインを向上させる携帯端末機のケースを提供することを目的とする。
【課題を解決するための手段】
【０００８】
前記の課題を実現するための本発明による携帯端末機のケースは、第１ケースと、該第１ケースに締結される第２ケースと、から構成され、前記第１ケースは情報を表示するディスプレイウィンドウ領域が備えられた第１部材と、該第１部材の一方に固定されて前記第２ケースと締結される第２部材と、から構成されることを特徴とする。
【０００９】
前記第１部材と前記第２部材は異なる材質で形成されることを特徴とする。
【００１０】
前記第１部材にはサウンドを入出力するサウンド入出力通路が備えられることを特徴とする。
【００１１】
前記第１部材は、透明な材質で形成される透明部材と、該透明部材の表面に貼り付けられてディスプレイウィンドウ領域が透明に形成されるフィルムと、から構成されることを特徴とする。
【００１２】
前記フィルムのディスプレイウィンドウ領域を除いた残りの部分は不透明に形成されることを特徴とする。
【００１３】
前記フィルムには情報を入力するキー領域が形成されることを特徴とする。
【００１４】
前記透明部材の表面にはキー領域が少なくとも１つ突設されることを特徴とする。
【００１５】
前記キー領域は文字、記号、又は数字の少なくとも１つから構成されることを特徴とする。
【００１６】
前記キー領域は、照明されない状態の時は該キー領域が外部に表示されないように半透明に形成されることを特徴とする。
【００１７】
前記キー領域は静電容量方式で信号が入力される各タッチキーであることを特徴とする。
【００１８】
前記フィルムはインモールド射出方式により前記透明部材にコーティングされることを特徴とする。
【００１９】
前記透明部材はメタクリル酸メチル重合体から形成されることを特徴とする。
【００２０】
前記第１部材は第２部材の縁部に固定されることを特徴とする。
【００２１】
前記第２部材は、その上面縁部に前記第１部材の縁部が収容される収容部が形成され、その下面縁部は第２ケースに締結されることを特徴とする。
【００２２】
前記第１部材は前記第２部材の縁部に接着固定されることを特徴とする。
【００２３】
前記第１部材の下面縁部には各位置固定突起が突出し、これら位置固定突起は前記第２部材の縁部に形成された位置固定孔に挿入されることを特徴とする。
【００２４】
前記第２部材はＰＣ（Ｐｏｌｙ  Ｃａｒｂｏｎａｔｅ）材質で形成されることを特徴とする。
【００２５】
前記第１ケースと第２ケースの内部空間には、キー領域をタッチすると情報が入力されるタッチパッドと、前記ディスプレイウィンドウにより情報を表示するディスプレイと、が備えられることを特徴とする。
【００２６】
前記第２部材は第１部材に二重射出方式で成形されることを特徴とする。
【００２７】
本発明による携帯端末機のケースは、第１ケースと、該第１ケースに締結される第２ケースと、から構成され、前記第１ケースは、ディスプレイウィンドウ領域と、情報を入力する各キーが装着されるキー装着部が備えられる第１部材と、該第１部材の一方に固定されて前記第２ケースに締結される第２部材と、から構成されることを特徴とする。
【００２８】
前記各キーは前記キーボタン装着部にプッシュ可能に装着されるプッシュタイプキーボタンであることを特徴とする。
【００２９】
前記キーボタン装着部は、各キーボタンをプッシュするとその信号をキーパッドに伝達できるように孔状に形成されることを特徴とする。
【００３０】
前記各キーは前記キーボタン装着部に回転可能に装着されるスクロール機能を行うホイールであることを特徴とする。
【００３１】
本発明による端末機ケースは、第１ケースと、該第１ケースに締結される第２ケースと、から構成され、前記第１ケースは、透明な材質で形成されて前記第２ケースに締結される透明部材と、該透明部材の表面に被せられてディスプレイウィンドウ領域が透明に形成されるフィルムと、から構成されることを特徴とする。
【００３２】
上記目的を達成するために、本発明は、例えば、以下の手段を提供する：
（項目１）
第１ケースと、該第１ケースに締結される第２ケースと、から構成され、
前記第１ケースは、
情報を表示するディスプレイウィンドウ領域が備えられた第１部材と、
該第１部材の一方に固定されて前記第２ケースと締結される第２部材と、を含むことを特徴とする携帯端末機のケース。
（項目２）
前記第１部材と前記第２部材は異なる材質で形成されることを特徴とする項目１に記載の携帯端末機のケース。
（項目３）
前記第１部材にはサウンドを入出力するサウンド入出力通路が備えられることを特徴とする項目１に記載の携帯端末機のケース。
（項目４）
前記第１部材は、
透明部材と、
該透明部材の表面に貼り付けられてディスプレイウィンドウ領域が提供されるフィルムと、から構成されることを特徴とする項目１に記載の携帯端末機のケース。
（項目５）
前記フィルムのディスプレイウィンドウ領域を除いた残りの部分は不透明に形成されることを特徴とする項目４に記載の携帯端末機のケース。
（項目６）
前記フィルムには情報を入力するキー領域が形成されることを特徴とする項目４に記載の携帯端末機のケース。
（項目７）
前記透明部材の表面にはキー領域が少なくとも１つ突設されることを特徴とする項目４に記載の携帯端末機のケース。
（項目８）
前記キー領域は文字、記号、又は数字の少なくとも１つから構成されることを特徴とする項目６に記載の携帯端末機のケース。
（項目９）
前記キー領域は、照明されない状態の時は、該キー領域が外部に表示されないように半透明に形成されることを特徴とする項目６に記載の携帯端末機のケース。
（項目１０）
前記キー領域は静電容量方式で信号が入力される各タッチキーであることを特徴とする項目６に記載の携帯端末機のケース。
（項目１１）
前記フィルムはインモールド射出方式により前記透明部材にコーティングされることを特徴とする項目４に記載の携帯端末機のケース。
（項目１２）
前記第２部材は、その上面縁部に前記第１部材の縁部が収容される収容部が形成され、その下面縁部は第２ケースに締結されることを特徴とする項目１に記載の携帯端末機のケース。
（項目１３）
前記第１部材は前記第２部材の一方に接着固定されることを特徴とする項目１に記載の携帯端末機のケース。
（項目１４）
前記第１部材の下面縁部には各位置固定突起が突出し、これら位置固定突起は前記第２部材の縁部に形成された位置固定孔に挿入されることを特徴とする項目１３に記載の携帯端末機のケース。
（項目１５）
前記第１ケースと第２ケースの内部空間には、キー領域をタッチすると情報が入力されるタッチパッドと、前記ディスプレイウィンドウにより情報を表示するディスプレイと、をさらに含むことを特徴とする項目１に記載の携帯端末機のケース。
（項目１６）
前記第１部材は、
透明な材質で形成されて各キーが装着される孔を有する透明部材と、
該透明部材の表面に被せられてディスプレイウィンドウ領域が透明に形成されて各キーが通過する孔を有するフィルムと、から構成されることを特徴とする項目１に記載の携帯端末機のケース。
（項目１７）
前記各キーはプッシュタイプとスクロールタイプキーのいずれか１つであることを特徴とする項目１６に記載の携帯端末機のケース。
（項目１８）
前記第２部材は前記第１部材に二重射出方式で成形されることを特徴とする項目１に記載の携帯端末機のケース。
（項目１９）
第１ケースと、該第１ケースに締結される第２ケースと、から構成され、
前記第１ケースは、
透明材質で形成されて前記第２ケースに装着される透明部材と、
該透明部材の表面に貼り付けられてディスプレイウィンドウ領域が提供されるフィルムと、から構成されることを特徴とする携帯端末機のケース。
（項目２０）
前記フィルムには情報を入力するキー領域が形成されることを特徴とする項目１９に記載の携帯端末機のケース。
（項目２１）
前記フィルムは透明なディスプレイウィンドウ領域を覆う透明部と、前記ディスプレイウィンドウ領域を除いた残りの部位を覆う不透明部と、から構成されることを特徴とする項目２０に記載の携帯端末機のケース。
（項目２２）
前記第１ケースには各キーが装着される少なくとも１つの孔が形成されることを特徴とする項目１９に記載の携帯端末機のケース。
（項目２３）
前記ケースはデータをやり取りする通信モジュールを有する移動通信端末機に提供されることを特徴とする項目１９に記載の携帯端末機のケース。
【発明の効果】
【００３３】
本発明による携帯端末機は、外装ケースがディスプレイウィンドウと各キーとが一体に成形される一体型平板タイプで形成され、デザインを向上させることができ、部品数を減らすことにより製造コストを減少し得るという効果がある。
【発明を実施するための最良の形態】
【００３４】
以下、添付図面を参照して本発明の実施形態について説明する。
【００３５】
図１は本発明の第１実施形態による携帯端末機の斜視図であり、図２は本発明の第１実施形態によるディスプレイユニットの分解斜視図であり、図３は本発明の第１実施形態による第１ケースの斜視図であり、図４は本発明による第１ケースの断面図である。
【００３６】
本発明の第１実施形態による携帯端末機は、情報を表示するディスプレイ１２を有するディスプレイユニット１０と、該ディスプレイユニット１０に摺動可能に連結されて前面に情報を入力するメインキーパッド２２が装着される端末機本体２０と、から構成される。
【００３７】
前記携帯端末機はディスプレイユニットが端末機本体に摺動可能に連結されるスライド型携帯端末機である。このような携帯端末機は本発明の第１実施形態で説明するスライド型以外にも、ディスプレイが端末機本体に回転可能に連結される折り畳み型、ディスプレイとメインキーパッドが端末機本体に設置されるストレート型、ディスプレイが２軸回転する２軸回転型など、何れの形態の端末機にも適用可能である。
【００３８】
前記端末機本体２０には信号を送受信する通信モジュール（図示せず）や、該通信モジュールが実装されるメインプリント基板（図示せず）などが内蔵される。
【００３９】
前記ディスプレイユニット１０は、外部に露出するように配置される第１ケース３０と、内部に空間を有するように前記第１ケース３０に締結される第２ケース３１と、前記第１ケース３０と第２ケース３１間の空間に装着されて情報を表示するディスプレイ１２と、情報が入力されるキーパッド１４と、から構成される。
【００４０】
前記キーパッド１４は静電容量方式で信号が入力されるタッチキーパッドから構成されることが好ましい。
【００４１】
前記第１ケース３０は、前記ディスプレイ１２に表示される情報が外部から見えるようにするディスプレイウィンドウ領域４０及び情報を入力するキー領域４２が備えられる第１部材３２と、該第１部材３２の一方に固定されて前記第２ケース３１と締結される第２部材３４と、から構成される。
【００４２】
前記第１部材３２は前記ディスプレイウィンドウ領域４０とキー領域４２とが一体に形成される平板状に形成される。このような第１部材３２は前記第２部材３４と異なる材質で形成される。
【００４３】
前記第１ケース３０には該第１ケース３０と第２ケース３１間の空間に装着されるスピーカから発生するサウンドを放出するか、又はマイクにサウンドを入力するサウンド入出力通路４４が形成される。
【００４４】
前記第１部材３２は透明な材質で形成される透明部材３６と、該透明部材３６の表面に貼り付けられ、透明なディスプレイウィンドウ領域４０及びキー領域４２が形成されるフィルム３８と、から構成される。
【００４５】
ここで、前記フィルム３８は前記透明部材３６の表面にインモールド（ｉｎ  ｍｏｌｄ）射出によりコーティングされる。ここで、インモールド射出とは、金型内部の決められた位置にフィルム３８を位置させ、透明部材３６を射出する時に該透明部材３６の表面に熱により所定模様が形成されたフィルム３８がコーティングされる方法である。このようなインモールド射出は射出工程数を減らすことができるので、生産性の向上に寄与することができる。
【００４６】
ここで、前記フィルム３８は前記ディスプレイウィンドウ領域４０とキー領域４２を除いた残りの部分は不透明に形成される。
【００４７】
前記ディスプレイウィンドウ領域４０は前記フィルム３８の透明な部分により形成され、前記キー領域４２は端末機の電源がオフの状態で、照明されない時に該キー領域４２が外部に表示されないようにするために半透明に形成される。このように、携帯端末機を使用しない時には前記キー領域４２が外部に表示されないためにデザインを向上させることができる。
【００４８】
前記キー領域４２は静電容量方式でタッチパッドに信号を伝達する各タッチキーから形成され、数字、文字、及び記号の少なくとも１つから構成されることが好ましい。
【００４９】
このようなキー領域は、ユーザがキー領域をタッチする時にタッチする接触感を感じるように突出する構造で形成することができる。
【００５０】
このような前記キー領域４２の突出構造は、数字、文字、記号などの形態で突出しているので手に触れると接触感を感じることができ、円形、多角形、星形など多様な形態に形成することができる。すなわち、ユーザがキー領域をタッチする時に接触感を感じる何れの形態にも適用可能である。
【００５１】
ここで、前記キー領域４２の突出構造は、前記透明部材３６を製造する時に該透明部材３６の表面にキー領域を表示する突起４３を成形し、前記透明部材３６の上面に前記フィルム３８をコーティングすると、前記突起４３に前記フィルム３８が被せられる。
【００５２】
ここで、前記フィルム３８には前記突起４３に該当する部位を表示する多様な色を有する表示部を形成することができる。
【００５３】
前記透明部材３６はメタクリル酸メチル重合体から形成されることが好ましい。
【００５４】
前記第２部材３４はその一方にスピーカが装着されるスピーカ装着部５０が形成され、その上面縁部には前記第１部材３２の縁部が収容される収容部５２が形成され、その下面縁部には第２ケース３１の縁部に形成されたボルト締結リブ５５にボルト締結されるボルト締結孔５４が形成される。ここで、前記第２部材３４は衝撃強度及び耐熱性が強いＰＣ材質で成形されることが好ましい。
【００５５】
前記第１部材３２と第２部材３４とは互いに接着固定される。すなわち、前記第２部材３４の収容部５２と第１部材３２の下面縁部の間に両面接着テープ６０が貼り付けられて前記第１部材３２と第２部材３４の間を接着固定する。
【００５６】
前記第１部材３２と第２部材３４とは接着固定されるために、前記第１部材３２の固定された位置が変化する現象が発生するが、このような第１部材３２の位置が変化することを防止するために該第１部材３２の下面縁部には所定間隔をおいて各位置固定突起５６が突出し、前記第２部材３４の縁部には前記位置固定突起５６が挿入される位置固定孔５８が形成される。
【００５７】
このように、前記第１部材３２に形成された位置固定突起５６が前記第２部材３４に形成された位置固定孔５８に挿入されると、前記第１部材３２が第２部材３４の収容部５２の正確な位置に固定され、前記第１部材３２の位置が変更されることを防止することができる。
【００５８】
前記のように構成されるケース３０は本発明の第１実施形態で説明したディスプレイユニット１０以外に、端末機本体２０のケースにも適用可能である。
【００５９】
このように構成された本発明による携帯端末機の第１ケース３０の製造工程について説明する。前記第１部材３２の透明部材３６の表面にインモールド射出により前記フィルム３８をコーティングする。この時、該フィルム３８にはディスプレイウィンドウ領域４０とキー領域４２がそれぞれ形成される。
【００６０】
このように前記第１部材３２が完成すると、前記第２部材３４の上面に形成された収容部５２に前記第１部材３２の縁部を収容させ、該第１部材３２と第２部材３４の間に前記両面接着テープ６０を位置させて前記第１部材３２と第２部材３４とを接着固定する。
【００６１】
この時、前記第１部材３２の下面に形成された各位置固定突起５６が前記第２部材３４の縁部に形成された位置固定孔５８に挿入されて前記第１部材３２と第２部材３４の固定位置を正確に合わせる。
【００６２】
前記のような第１実施形態によるケースは前記ディスプレイウィンドウ領域４０、キー領域４２、及びその他の各表示部が別途に設置されるのでなく、前記第１ケース３０に一体に成形されるため、該第１ケース３０のデザインを向上させることができ、製造工程を短縮することができる。
【００６３】
図５は本発明の第２実施形態によるディスプレイユニットの分解斜視図であり、図６は本発明の第２実施形態によるケースが一部切開された斜視図であり、図７は図６のＢ部の拡大図であり、図８は図５のＣ−Ｃ線断面図である。
【００６４】
第２実施形態によるディスプレイユニットは、第１ケース７０と、内部に空間を有するように該第１ケース７０に締結される第２ケース７１と、前記第１ケース７０と第２ケース７１間の空間に装着されて情報を表示するディスプレイ１２と、情報が入力されるキーパッド１４と、から構成される。
【００６５】
前記第１ケース７０は、前記ディスプレイ１２に表示される情報が外部から見えるようにするディスプレイウィンドウ領域７２及び情報を入力するキー領域７４が備えられる第１部材７６と、該第１部材７６の縁部に二重射出方式で成形されて前記第１部材７６と異なる材質で形成されて第２ケース７１に締結される第２部材７８と、から構成される。
【００６６】
前記第２実施形態による第１ケース７０の内部には、情報を表示するディスプレイ１２と、静電容量方式で情報を入力するタッチパッドと、がそれぞれ設置される。
【００６７】
前記第１部材７６は一体型平板状に形成され、その縁部には隔壁８０が所定高さだけ直角に折り曲げられて形成される。また、前記第２部材７８は前記第１部材７６の縁部内面に形成された収容部８２に二重射出方式で成形され、前記隔壁８０により遮られるので第２部材７８は外部に露出しない。
【００６８】
ここで、二重射出方式とは、２種類の異なる材質を使用し、２つの射出装置と可動板に回転機構を有する射出機、又はコアやスライド構造を利用して二重射出可能に設計された金型で、最初に成形した１次成形品と２次キャビティとの空間に２次材質を充填して成形する方式である。このような二重射出は形状の制約が少なくて製品適用の幅が広く、デザインの多様化が可能である。また、１回で射出するため、従来の一般射出が２回にわたり２つの部品に成形して溶着又は塗装工程の２次加工を行なって製品化していたのに対し、１回の成形でこれを解決することによって原価低減はもちろんのこと、多様なデザインの製品生産が可能になった。
【００６９】
前記第１部材７６は、透明な材質で形成される透明部材８６と、該透明部材８６の表面にインモールド射出によりコーティング処理され、透明なディスプレイウィンドウ領域７２、キー領域７４、及びその他の各表示部が形成されるフィルム８８と、から構成される。
【００７０】
前記透明部材にフィルムをコーティングする方法は前記第１実施形態で説明した方式と同一のインモールド射出方式により行なわれる。
【００７１】
前記収容部８２は前記第１部材７６の内面縁部が所定の深さで窪んだ形態に形成されるが、前記第２部材７８が前記収容部８２に挿入された状態になるので前記第１部材７６の内面は平面状に形成される。
【００７２】
前記第２部材７８はＰＣ材質で成形され、その下面には前記第２ケース７１に形成されたボルト締結リブ７３にボルト締結されるボルト締結孔７９が形成される。
【００７３】
このように、第２実施形態による第１ケース７０は前記第１部材７６に該第１部材７６と異なる材質を有する第２部材７８が二重射出方式で成形されるため、前記ケース７０のデザインを向上させることができる。
【００７４】
図９は本発明の第３実施形態による携帯端末機の斜視図であり、図１０は図９のＤ−Ｄ線断面図である。
【００７５】
第３実施形態による携帯端末機は前記第１実施形態で説明した携帯端末機の構造と同様であるが、第１ケースは異なった構造を有する。
【００７６】
第３実施形態による第１ケース３０は、前記ディスプレイウィンドウ４０が一体に成形される第１部材３２と、前記第１部材３２の一方に固定されて前記第１部材３２と異なる材質で形成される第２部材３４と、から構成される。
【００７７】
前記第１部材３２は第２部材３４の縁部に接着固定される。
【００７８】
ここで、前記第１部材３２には、情報を入力する各キー９２が押されることにより動作するように装着されるキー装着部９０が形成される。
【００７９】
該キー装着部９０は第１部材３２に貫通する孔状に形成されて前記各キー９２が上下方向に押されることにより動作するように装着される。    
【００８０】
ここで、前記各キー９２は、押されることにより動作すると、その信号がキーパッドに伝えられるプッシュタイプキーボタンから構成される。
【００８１】
このような各キーはスクロール動作を行うホイールタイプキーから構成することもできる。すなわち、前記各キーは第１部材３２と別個に構成され、該第１部材３２に形成された前記キー装着部９０に装着されて信号を入力する何れの形態のキーも適用可能である。
【００８２】
前記第１部材３２及び第２部材３４の構造は前記第１実施形態で説明した第１部材及び第２部材の構造と同一であるため、その説明を省略する。
【００８３】
図１１は本発明の第４実施形態によるケースの斜視図であり、図１２は本発明の第４実施形態によるケースの断面図である。
【００８４】
第４実施形態による第１ケース７０は、ディスプレイウィンドウ７２が一体に成形され、各キー９５が装着されるキー装着部９３が貫通するように形成される第１部材７６と、該第１部材７６の一方に二重射出方式で成形されて該第１部材７６と異なる材質で形成される第２部材７８と、から構成される。
【００８５】
このような前記第１ケース７０は前記第２実施形態で説明した第１部材と第２部材が二重射出方式で成形される構造は同様であるが、第２実施形態で説明したタッチパッドの代りに押されることにより動作する各キーボタン９０が装着される。
【００８６】
すなわち、前記第４実施形態による第１ケース７０は、前記第１部材７６に押されることにより動作する各キー９５が装着されるキー装着部９３が孔状に形成される。
【００８７】
前記キー９５は、プッシュタイプキーボタン又はスクロール機能を実行するホイールタイプキーなど、前記第１部材７６とは別に前記キー装着部９３に装着される何れのキーも適用可能である。
【００８８】
また、前記第１部材７６及び第２部材７８の構造は前記第２実施形態で説明した構造と同一であるため、その説明を省略する。
【００８９】
図１３は本発明の第５実施形態によるケースの断面図である。
【００９０】
第５実施形態による携帯端末機の第１ケース１５０は、透明な材質で形成されて前記第２ケースに締結される透明部材１５２と、該透明部材１５２の表面に被せられてディスプレイウィンドウ領域１５６が透明に形成されるフィルム１５４と、から構成される。
【００９１】
このような第５実施形態による第１ケース１５０は、第１実施形態で説明した第１ケース３０が第１部材３２と第２部材３４から構成されるのとは異なり、一体型で構成される。すなわち、前記第１ケース１５０の前記透明部材１５２の上面にはフィルム１５４が貼り付けられ、前記透明部材１５２の下面縁部には第２ケースとボルト締結するためのボルト締結孔１６２が形成される。
【００９２】
前記フィルム１５４には情報を入力するキー領域１５８が形成される。また、前記フィルム１５４のディスプレイウィンドウ領域１５６及びキー領域１５８を除いた残りの部分は不透明に形成される。
【００９３】
前記透明部材１５２の表面にはキー領域が少なくとも１つ突設される。すなわち、多様な形態の突起１６０が突設されて接触感を向上させる。
【００９４】
このような透明部材及びフィルムのコーティング法、並びに透明部材にキー領域が形成される構造は前記第１実施形態で説明した方法及び構造と同一であるため、その説明を省略する。
【００９５】
図１４は本発明の第６実施形態によるケースの断面図である。
【００９６】
第６実施形態による第１ケース１７０は、透明な材質で形成されて前記第２ケースに締結される透明部材１７２と、該透明部材１７２の表面に被せられてディスプレイウィンドウ領域１７６が透明に形成されるフィルム１７４と、前記透明部材１７２とは別に各キー１８０が装着されるキー装着部１８２と、から構成される。
【００９７】
前記透明部材１７２はその上面にフィルム１７４が貼り付けられ、その下面縁部には第２ケースにボルト締結されるボルト締結孔１８４が形成される。
【００９８】
前記キー装着部１８２は前記透明部材１７２に貫通する孔状に形成される。また、前記キー１８０はプッシュタイプキーボタン又はスクロール機能をするホイールタイプキーなどから構成される。
【００９９】
添付図面を参照して、本発明の実施形態を、本発明が属する技術分野における通常の知識を有する者が容易に実施することができるように詳細に説明した。しかし、本発明は、多様な形態で実現することができ、ここで説明する実施形態に限定されるものではない。
【０１００】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【０１０１】
【図１】本発明の第１実施形態による携帯端末機の斜視図である。
【図２】本発明の第１実施形態によるディスプレイユニットの分解斜視図である。
【図３】本発明の第１実施形態による第１ケースの斜視図である。
【図４】図３のＡ−Ａ線断面図である。
【図５】本発明の第２実施形態によるディスプレイユニットの分解斜視図である。
【図６】本発明の第２実施形態による外装ケースが一部切開された斜視図である。
【図７】図６のＢ部の拡大図である。
【図８】図５のＣ−Ｃ線断面図である。
【図９】本発明の第３実施形態による携帯端末機の斜視図である。
【図１０】図９のＤ−Ｄ線断面図である。
【図１１】本発明の第４実施形態によるケースの斜視図である。
【図１２】本発明の第４実施形態によるケースの断面図である。
【図１３】本発明の第５実施形態によるケースの断面図である。
【図１４】本発明の第６実施形態によるケースの断面図である。
【図１５】従来の携帯端末機の斜視図である。
【符号の説明】
【０１０２】
１０：ディスプレイユニット
１２：ディスプレイ
１４：キーパッド
２０：端末機本体
３０：第１ケース
３１：第２ケース
３２：第１部材
３４：第２部材
３６：透明部材
３８：フィルム
４０：ディスプレイウィンドウ
４２：タッチキー
【図１】
0005117712.tif 000002
【図２】
0005117712.tif 000003
【図３】
0005117712.tif 000004
【図４】
0005117712.tif 000005
【図５】
0005117712.tif 000006
【図６】
0005117712.tif 000007
【図７】
0005117712.tif 000008
【図８】
0005117712.tif 000009
【図９】
0005117712.tif 000010
【図１０】
0005117712.tif 000011
【図１１】
0005117712.tif 000012
【図１２】
0005117712.tif 000013
【図１３】
0005117712.tif 000014
【図１４】
0005117712.tif 000015
【図１５】
0005117712.tif 000016